(57)【要約】  多数のデータ担体又は情報担体からデータを非接触で伝送しかつ／又は多数のデータ担体又は情報担体にデータを非接触で伝送する改良された方法及び改良された装置は、読取装置及び／又は書込装置(1)とデータ担体又は情報担体(9)とを備える。データ担体又は情報担体(9)は、初期インピーダンス(Z1)状態と、データ担体又は情報担体(9)から情報信号を送信する通信インピーダンス(Z2,Z3)状態と、初期インピーダンス(Z1)状態及び通信インピーダンス(Z2,Z3)状態とは異なる待機インピーダンス(Z4)状態との間で切り替えられる。読取装置及び／又は書込装置(1)とデータ担体又は情報担体(9)との間で情報を交換した後、データ担体又は情報担体を待機インピーダンス状態(Z4)に切り替えて、隣接するデータ担体又は情報担体(9)のアンテナ領域との有害な相互作用を減少する。【選択図】図１
2010534874.tif 000002
【特許請求の範囲】
【請求項１】
特に、無線識別タグ又は応答装置の形態に形成される多数のデータ担体又は情報担体(9)からデータを非接触で伝送しかつ／又は多数のデータ担体又は情報担体(9)にデータを非接触で伝送する方法において、
読取装置及び／若しくは書込装置(1)に設けられ又は読取装置及び／若しくは書込装置(1)に接続されるアンテナ組立体(5)を介して、単一又は複数のデータ担体又は情報担体(9)に単一又は複数の検索信号及び／又は書込信号を送信する過程と、
データ担体又は情報担体(9)上に設けられるアンテナ(15)を介して、データ担体若しくは情報担体(9)から該当する情報信号を送信しかつ／又は受信することにより、個々のデータ担体若しくは情報担体(9)から情報を読み出しかつ／又はデータ担体若しくは情報担体(9)に情報を書き込む過程と、
初期インピーダンス(Z1)状態と、データ担体若しくは情報担体(9)から情報信号を送信する又はデータ担体若しくは情報担体(9)が情報信号を受信する間の通信インピーダンス(Z2,Z3)状態と、読取装置及び／又は書込装置(1)とデータ担体又は情報担体(9)との間で情報を交換した後、通信インピーダンス(Z2,Z3)状態とは異なる待機インピーダンス(Z4)状態との間でデータ担体又は情報担体(9)を切り替える過程とを含み、
データ担体又は情報担体(9)を待機インピーダンス(Z4)状態に切り替えることにより、隣接するデータ担体又は情報担体(9)のアンテナ領域との有害な相互作用を低減することを特徴とするデータを非接触で伝送する方法。
【請求項２】
読取装置及び／又は書込装置(1)との通信終了後、読取装置及び／又は書込装置(1)からの制御信号がなくても、自己制御によりデータ担体又は情報担体(9)を待機インピーダンス(Z4)状態に切り替える過程を含む請求項１に記載の方法。
【請求項３】
少なくとも２つの通信インピーダンス(Z2,Z3)状態間でデータ担体及び／又は情報担体(9)を切り替えて、データ担体及び／又は情報担体(9)からデジタル化された信号を送信する過程を含み、
待機インピーダンス(Z4)状態にあるデータ担体又は情報担体(9)は、初期インピーダンス(Z1)状態にあるとき及び／又は通信インピーダンス(Z2,Z3)状態にあるときより少ないエネルギをリーダアンテナ(5)から吸収する請求項１又は２に記載の方法。
【請求項４】
待機インピーダンス(Z4)状態にあるデータ担体又は情報担体(9)のアンテナ(15)は、初期インピーダンス(Z1)状態及び／又は通信インピーダンス(Z2,Z3)状態よりも、隣接するデータ担体又は情報担体(9)のアンテナ領域との相互作用の少ない電流及び／又は電位分布を有する請求項１〜３の何れか１項に記載の方法。
【請求項５】
データ担体又は情報担体(9)は、通信段階の間の通信インピーダンス(Z2,Z3)状態とは異なる初期インピーダンス(Z1)状態を有する請求項１〜４の何れか１項に記載の方法。
【請求項６】
データ担体又は情報担体(9)は、通信段階間のデータ担体又は情報担体(9)の２つの通信インピーダンス(Z2,Z3)状態の何れかに相当する初期インピーダンス(Z1)状態を有する請求項１〜５の何れか１項に記載の方法。
【請求項７】
該当する情報を読み出し又は受信した後に、データ担体又は情報担体(9)を待機インピーダンス(Z4)状態に切り替える過程を含み、
待機インピーダンス(Z4)状態にあるデータ担体又は情報担体(9)は、２つの通信インピーダンス(Z2,Z3)状態で信号を送信する他のデータ担体又は情報担体(9)又は初期インピーダンス(Z1)状態にあるデータ担体又は情報担体(9)よりも少ないエネルギを吸収する請求項１〜６の何れか１項に記載の方法。
【請求項８】
該当する情報を読み出し又は受信した後に、データ担体又は情報担体(9)を待機インピーダンス(Z4)状態に切り替える過程を含み、
待機インピーダンス(Z4)状態にあるデータ担体又は情報担体(9)のアンテナは、２つの通信インピーダンス(Z2,Z3)状態の何れか又は初期インピーダンス(Z1)状態にあるデータ担体又は情報担体(9)と比較して、隣接するデータ担体及び／又は情報担体(9)のアンテナ領域との相互作用の少ない電流及び／又は電位分布を有する請求項１〜７の何れか１項に記載の方法。
【請求項９】
予め設定された時点で又は予め設定された期間の間だけ、データ担体又は情報担体(9)を待機インピーダンス(Z4)状態に切り替える過程を含む請求項１〜７の何れか１項に記載の方法。
【請求項１０】
該当するデータ担体又は情報担体(9)のエネルギ供給及び／又はエネルギ状態が最小値未満に低下したときに、該当する情報を読み出しかつ／又は受信した後に待機インピーダンス(Z4)状態に切り替えられるデータ担体又は情報担体(9)を再び初期インピーダンス(Z1)状態に復帰して切り替える過程を含む請求項９に記載の方法。
【請求項１１】
読出装置及び／又は書込装置(1)から該当する起動信号を受信したときに、該当する情報を読み出しかつ／又は受信した後に待機インピーダンス(Z4)状態に切り替えられるデータ担体又は情報担体(9)を再び初期インピーダンス(Z1)状態に復帰して切り替える過程を含む請求項９又は１０に記載の方法。
【請求項１２】
マイクロチップ(17)に記憶された期間かつ／又は予め選択可能な期間及び／又は変更可能な期間の経過後に、該当する情報を読み出しかつ／又は受信した後に待機インピーダンス(Z4)状態に切り替えられたデータ担体又は情報担体(9)を再び初期インピーダンス状態(Z1)に復帰して切り替える過程を含む請求項９〜１１の何れか１項に記載の方法。
【請求項１３】
情報信号を読み出し又は受信した後、待機インピーダンス(Z4)状態に切り替えられる前に、初期インピーダンス(Z1)状態又は２つの通信インピーダンス(Z2,Z3)状態の少なくとも一方に、データ担体又は情報担体(9)を単一回又は複数回更に切り替える過程を含む請求項１〜１２の何れか１項に記載の方法。
【請求項１４】
データ担体又は情報担体(9)上に設けられるマイクロチップの作動により、データ担体又は情報担体(9)を待機インピーダンス(Z4)状態に切り替える過程を含む請求項１〜１３の何れか１項に記載の方法。
【請求項１５】
データ担体又は情報担体(9)から該当する情報を読み出した後、読取装置及び／又は書込装置(1)により制御されかつ／又は作動されて、データ担体又は情報担体(9)を待機インピーダンス(Z4)状態に切り替える過程を含む請求項１〜１４の何れか１項に記載の方法。
【請求項１６】
無線識別タグ又は応答装置の形態に形成される多数のデータ担体又は情報担体(9)からデータを非接触で伝送する装置において、
単一又は複数のアンテナ(5)を有し又は単一又は複数のアンテナ(5)を接続でき、アンテナ(5)を介して検索信号及び／又は書込信号を単一又は複数のデータ担体又は情報担体(9)に送信する読取装置及び／又は書込装置(1)と、
検索信号を受信したとき、記憶若しくは格納する情報を読み出して情報信号を送信し又は書込信号を受信したとき、情報を記憶又は格納する多数のデータ担体又は情報担体(9)とを備え、
データ担体又は情報担体(9)は、異なるインピーダンス(Z1,Z2,Z3,Z4)状態に切り替わるマイクロチップ(17)を有し、
情報信号を送信した後かつ／又は情報信号を受信した後、マイクロチップは、通信インピーダンス(Z2,Z3)状態から待機インピーダンス(Z4)状態に切り替わり、
待機インピーダンス状態は、初期インピーダンス(Z1)状態及び／又はデータ担体又は情報担体(9)から情報信号を送信する間の通信インピーダンス(Z2,Z3)状態とは異なることを特徴とするデータを非接触で伝送する装置。
【請求項１７】
読取装置及び／又は書込装置(1)との通信終了後、読取装置及び／又は書込装置(1)からの制御信号がなくても、自己制御によりデータ担体又は情報担体(9)を待機インピーダンス(Z4)状態に切り替える請求項１６に記載の装置。
【請求項１８】
データ担体又は情報担体(9)は、初期インピーダンス(Z1)状態と、双方向に切り替えられてデジタル化された信号を送信する少なくとも２つの通信インピーダンス(Z2,Z3)状態と、待機インピーダンス(Z4)状態とに切り替えられ、
待機インピーダンス(Z4)状態にあるマイクロチップ(17)は、アンテナ、特にリーダアンテナ(5)から発生する電場、磁場又は電磁場から、初期インピーダンス(Z1)状態及び／又は通信インピーダンス(Z2,Z3)状態よりも少ないエネルギを吸収する請求項１６又は１７に記載の装置。
【請求項１９】
マイクロチップ(17)が待機インピーダンス(Z4)状態にあるとき、データ担体又は情報担体(9)のアンテナ(15)は、初期インピーダンス(Z1)状態及び／又は通信インピーダンス(Z2,Z3)状態よりも、隣接するデータ担体又は情報担体(9)のアンテナ領域との相互作用の小さい電流及び／又は電位分布を有する請求項１６〜１８の何れか１項に記載の装置。
【請求項２０】
マイクロチップ(17)は、通信段階の間の通信インピーダンス(Z2,Z3)状態とは異なる初期インピーダンス(Z1)状態を有する請求項１６〜１９の何れか１項に記載の装置。
【請求項２１】
データ担体又は情報担体(9)は、通信段階間のデータ担体又は情報担体(9)の２つの通信インピーダンス(Z2,Z3)状態の何れかに相当する初期インピーダンス(Z1)状態を有する請求項１６〜１８の何れか１項に記載の装置。
【請求項２２】
他のデータ担体又は情報担体(9)から送信される無線信号に対して、２つの通信インピーダンス(Z2,Z3)状態の何れか又は初期インピーダンス(Z1)状態にあるデータ担体又は情報担体(9)よりも少ないエネルギを吸収する待機インピーダンス(Z4)状態に、該当する情報を読み出しかつ／又は受信したデータ担体又は情報担体(9)を切り替え可能であり又は切り替える請求項１６〜２１の何れか１項に記載の装置。
【請求項２３】
予め設定可能な期間又は予め設定された期間の間のみ、データ担体又は情報担体(9)を待機インピーダンス(Z4)状態に切り替える請求項１６〜２２の何れか１項に記載の装置。
【請求項２４】
該当する情報を読み出しかつ／又は受信した後に待機インピーダンス状態(Z4)に切り替えられたデータ担体又は情報担体(9)は、そのエネルギ供給及び／又はエネルギ状態が最小値未満に下降したとき、再び初期インピーダンス状態に復帰して切り替えられる請求項２３に記載の装置。
【請求項２５】
該当する情報を読み出しかつ／又は受信した後に待機インピーダンス(Z4)状態に切り替えられたデータ担体又は情報担体(9)は、読取装置及び／又は書込装置(1)から該当する起動信号を受信したとき、再び初期インピーダンス(Z1)状態に復帰して切り替え可能である又は切り替えられる請求項２３又は２４に記載の装置。
【請求項２６】
該当する情報を読み出しかつ／又は受信した後に待機インピーダンス(Z4)状態に切り替えられたデータ担体又は情報担体(9)は、マイクロチップ(17)内に記憶された期間かつ／又は予め選択可能な期間及び／又は変更可能な期間の経過後に、初期インピーダンス(Z1)状態に復帰して切り替え可能である又は切り替えられる請求項２３〜２５の何れか１項に記載の装置。
【請求項２７】
データ担体又は情報担体(9)から情報を読み出した後及び／又はデータ担体又は情報担体(9)に情報を書き込んだ後に、待機インピーダンス(Z4)状態に切り替えられる前に、初期インピーダンス(Z1)状態及び／又は２つの通信インピーダンス(Z2,Z3)状態の少なくとも一方に、データ担体又は情報担体(9)を単一回又は複数回更に切り替える請求項１６〜２６の何れか１項に記載の装置。
【請求項２８】
データ担体又は情報担体(9)に設けられたマイクロチップの作動により、データ担体又は情報担体(9)を待機インピーダンス(Z4)状態に切り替える請求項１６〜２７の何れか１項に記載の装置。
【請求項２９】
データ担体及び／又は情報担体(9)から該当する情報を読み出した後及び／又はデータ担体又は情報担体(9)に該当する情報を書き込んだ後に、読取装置及び／又は書込装置(1)により制御されて、データ担体又は情報担体(9)を待機インピーダンス(Z4)状態に切り替える請求項１６〜２８の何れか１項に記載の装置。
【発明の詳細な説明】
【技術分野】
【０００１】
本発明は、特に無線識別（「ＲＦＩＤ」）タグ形式の多数のデータ担体からデータを非接触で伝送しかつ／又は多数のデータ担体にデータを非接触で伝送する請求項１又は請求項１６の前文に記載の方法及び装置に関する。
【背景技術】
【０００２】
磁気的、電気的及び／又は電磁的なエネルギ伝送及びデータ伝送を用いて、無線識別タグに記憶される情報を非接触で識別する無線自動識別装置は、公知である。無線自動識別法（「Radiofrequenz-Identifizierung」）では、移動可能なデータ担体内の情報を非接触で読み出しかつ／又は情報を移動可能なデータ担体内に書き込むことができる。電場、磁場及び／又は電磁場からアンテナを通じて自身のエネルギを常に供給する受動的な無線識別タグ又は内蔵する専用の（充電可能な）エネルギ源からエネルギを供給する能動的な無線識別タグを使用することができる。無線識別タグは、通常、応答装置（トランスポンダ）（所定の無線信号を受信すると、自動的に応答信号を返信する発信装置）である。
【０００３】
多様な種類の対象物及び／又は製品を探知（検出、識別）する種々の目的で、例えば、Ｔシャツ等の衣服を検出して識別する場合に無線識別タグを使用できる。
【０００４】
アンテナと、アンテナに接続される書込装置及び／又は読取装置（所謂リーダ）とを無線識別タグに対応する識別システムに設けることは公知である。アンテナに接続されるリーダは、アンテナを介して該当する検索信号を無線識別タグに送信して、無線識別タグから該当する情報応答を得ることができる。リーダと無線識別タグとの間で無線通信を行う無線識別システムでは、同一の周波数で送受信を行う（勿論、異なる周波数で送受信を行ってもよい）場合が多い。書込装置及び／又は読取装置（リーダ）のアンテナから送信される無線信号を受信する無線識別タグには、無線信号の受信と同時にエネルギが供給される。無線識別タグから該当する情報が読み出され、無線識別タグから無線信号が送信装置及び／又は受信装置に返信され、送信装置及び／又は受信装置は、対応するアンテナを介して該当する信号を受信して、受信した情報を分析することができる。従って、同一の周波数領域又は同一周波数帯での無線信号による双方向の送受信路がリーダと無線識別タグとの間に形成される。送受信路を通る無線信号の送受信技術に異なる周波数の無線信号が送信される国も存在する。
【０００５】
読取装置及び／又は書込装置のタグ読取領域内に存在する複数の無線識別タグからの無線信号を読み取るときに、信号衝突が生じる場合がある。従って、複数の異なる無線識別タグからの無線信号を正しく検出しかつ読出せるように、既に様々な信号衝突防止方法が提案される。
【０００６】
また、無線信号の読取後に、無線信号を読み出した無線識別タグを「停止」状態又は「不活動」状態に切り替えることも、既に提案されている。停止状態又は不活動状態に切り替えられた無線識別タグは、再び直接命令されるまでの間、不作動状態又は沈黙化状態に保持される。「沈黙化」状態又は「不作動」状態に切り替えられた無線識別タグに例えば電力を供給することにより、勿論無線識別タグを高周波で作動できよう。
【発明の概要】
【発明が解決しようとする課題】
【０００７】
特に、例えば直接重なり合う複数のＴシャツ等の値札に無線識別タグが取り付けられて、狭い空間に多数の無線識別タグを並置するときに問題が発生する。無線識別タグからの無線信号が相互に影響し合うことにより、多くの無線識別タグが検出し難くかつ読み取り難くなる。
【０００８】
従って、本発明の目的は、読取装置及び／又は書込装置の単一又は複数のアンテナの情報捕集領域内で複数の無線識別タグからの無線信号を検出し、無線識別タグを特定しかつ無線識別タグからデータを読み出し又は無線識別タグにデータを書き込むことにより、リーダ（即ち書込装置及び／又は読取装置）と各無線識別タグ又は一般的な応答装置（「トランスポンダ」）との間の無線通信の識別率を改善できる改良された方法及び装置を提供することにある。
【課題を解決するための手段】
【０００９】
本発明の目的は、請求項１に記載する本発明による方法の特徴により解決し、請求項１６に記載する本発明による装置の特徴により解決する。本発明の好適な実施の形態を下位請求項に記載する。
【００１０】
本発明では、驚くべき手段により著しい改良を提供することができる。従来の解決手段とは異なり、本発明の範囲内では、狭い空間内に互いに近接して配置される無線識別タグ内に記憶される情報でも、より良好かつより確実に読み出し、かつ／又はより良好かつより確実に無線識別タグ内に情報を書き込む（情報読出／書込率向上）ことができ、それと共に／又は個別に、同一の送信出力及び／又は受信出力による付属の単一又は複数のアンテナを有するリーダの書込領域及び読取領域（情報捕集領域）を拡大（書込／読取領域拡大）することができる。
【００１１】
本発明では、所定の期間のみ無線識別タグ（又は一般的な応答装置）のインピーダンス回路切替を行うことにより、前記作用効果を実現できる。換言すると、このインピーダンス回路切替は、一時的にのみ実施される。
【００１２】
既知のように、通常異なる２つの通信インピーダンス状態（例えば状態「０」と状態「１」）間で無線識別タグを切り替えることにより、無線識別タグの情報をデジタル化して無線送信することができる。特に、無線識別タグ又は応答装置のチップにより、各無線識別タグ又は応答装置上でインピーダンスを切り替えることにより、情報を無線送信することができる。
【００１３】
本発明では、リーダと該当する無線識別タグとの間で必要な通信が終了した後に、この無線識別タグは、他のインピーダンス回路状態に切り替えられる。この構造では、無線識別タグ又は応答装置が隣接する無線識別タグ／応答装置のアンテナ領域（アンテナ信号領域）との有害な相互作用（信号衝突）を減少するために、情報を読み出した無線識別タグ／応答装置を待機インピーダンス状態に切り替えて、リーダ（即ち読取装置及び／又は書込装置）と付属のアンテナ装置とを介して、次の無線識別タグ又は応答装置の応答特性を改善しかつ次の無線識別タグ又は応答装置に記憶される情報を読み出し又は他の情報を無線識別タグ又は応答装置に書き込むことができる。例えば、待機インピーダンス状態にある無線識別タグがリーダのアンテナ領域内でより少ないエネルギを吸収して、より少ないエネルギをアンテナ領域から引き出すこと又は待機インピーダンス状態にある無線識別タグの電流及び／又は電位分布が変化して、他の無線識別タグ又は応答装置への反作用を減少し又は最適化することにより、応答特性を改善することができる。
【００１４】
情報を読み出した後、特に他の無線識別タグに対していわば「非実在」状態又は「不在」状態になる待機インピーダンス状態に次の無線識別タグ又は応答装置も切り替えることにより、他の残りの無線識別タグ又は応答装置に対して好適な状態又は反作用の少ない状態になる。
【００１５】
無線識別タグ又は応答装置が「０」から「１」及び「１」から「０」に切り替わる間の２つの通信インピーダンス状態とは異なる初期インピーダンス状態又は待機インピーダンス状態にあっても、本発明の方法を適用することができる。必ずしも２つの通信インピーダンス状態を設ける必要は勿論なく、「０」又は「１」を伝送する２つの通信インピーダンス状態の何れかに初期インピーダンス状態を対応させてもよい。
【００１６】
従って、リーダとの必要な通信後に、インピーダンス状態を所望に切り替えるように、リーダに対応するタグ又は一般的に対応する応答装置を構成し、その場合、応答装置の制御又は応答装置のプロトコル制御により、即ち応答装置又は無線識別タグの自己制御により、例えば、リーダから付属のアンテナに送信される所定の制御信号により、インピーダンス状態を切り替えることができる。
【００１７】
しかしながら、本発明では、少なくとも２つの通信インピーダンス状態（状態「０」と状態「１」との間の切り替え）の終了後直ちに、待機インピーダンス状態に切り替える必要は必ずしもなく、少し遅延して、後の時点で切り替えてもよい。例えば、−利用できる限り−初期インピーダンス状態から開始して通信インピーダンス状態に切り替えることができ、通信インピーダンス状態では、２つの通信インピーダンス状態間で双方向に切り替えられ、その後に初期インピーダンス状態に切り替えられ又は２つの通信インピーダンス状態の一方に改めて切り替えられた後に、最終的に待機インピーダンス状態に切り替えることもできる。また、例えば、初期インピーダンス状態と通信インピーダンス状態とで何度か切り替わり（例えば、情報交換を反復する場合）又は最終的に待機インピーダンス状態に切り替えられるまでに、任意の時間長さでかつ／又は頻度で他の中間インピーダンス状態に保持することもできる。
【図面の簡単な説明】
【００１８】
本発明による伝送方法及び伝送装置の実施の形態を図面について以下詳細に説明する。
【００１９】
【図１】アンテナ組立体を介して無線識別タグ形式の多数のデータ担体からリーダにデータを伝送する無線識別システムの好適な実施の形態を示す概略図
【図２】図２ａ〜図２ｃに示す３つの異なるインピーダンス回路状態に切り換えられる高周波インピーダンスを有するチップと、チップに接続されるダイポール構造とを有する無線識別タグ／応答装置を示す上面図
【図３】従来の多数の無線識別タグ又は応答装置を有するＲＦＩＤ応答装置組立体の標準化されたアンテナ放射パターンを示す概略図
【図４】本発明に基づく方法又は本発明に基づく無線識別タグ又は応答装置を適用して得られる標準化されたアンテナ放射パターンを示す図３と同様の概略図
【発明を実施するための形態】
【００２０】
図１は、導線又はケーブル3を介してアンテナ又はアンテナ組立体5に接続される送信ユニット及び／又は受信ユニット1、即ちリーダ1を略示する。
【００２１】
リーダ1では、単一又は複数の共通の送信アンテナ及び／又は受信アンテナをアンテナ組立体に設けることが好ましい。例えば、探知（検出、認識）用の無線識別タグ又は応答装置9をそれぞれ取り付けた多数の製品、通常の多数の対象物又は例えば衣服（Ｔシャツ等）の商品7をアンテナ5から離間して配置することができる。無線識別タグは、データ担体又は情報担体9とも言われるタグ9又は一般的な応答装置9でもよい。その場合、複数の無線識別タグ又は応答装置9は、同一の構造でも異なる構造でもよい。例えば、互いに重なり合うＴシャツ等の例示商品の各無線識別タグ9は、互いに極めて狭い間隔で配置されるものも存在する。
【００２２】
無線識別タグ／応答装置9には、専用のエネルギ源からエネルギが供給できる（能動タグ／応答装置）。原則的に、能動無線識別タグは、基板又は担体材料上に集積されて該当する情報を記憶する回路装置と、リーダからの信号を受信する図１に図示しないタグアンテナとを備え、既知のように、回路装置内に記憶される情報は、リーダにより読み出され又はリーダから送信される情報が回路装置内に書き込まれる。
【００２３】
専用のエネルギ源のない受動タグ／応答装置9を使用するとき、タグ／応答装置は、読取装置／書込装置（リーダ）の送信信号からエネルギを取り出して作動され、回路装置内に記憶する情報を読み出し、リーダに送信する。
【００２４】
専用のエネルギ源を有する能動的な情報担体又は専用のエネルギ源のない受動的な情報担体である一般的な応答装置を下記「無線識別タグ」に使用し、情報担体上に設けられるチップと、対応する応答装置アンテナとが無線識別タグに設けられる。
【００２５】
国により異なることのある無線識別（「ＲＦＩＤ」）領域で送受信技術を適用する場合、例えば、通常８６０ＭＨｚ〜９６０ＭＨｚの同一周波数領域内又は同一周波数帯域内で送信信号と受信信号とを伝送する技術が使用される。しかしながら、本発明では、例えば、４３４ＭＨｚを中心とするＵＨＦ領域、例えば、１３.５６ＭＨｚのＨＦ領域又は２.４５ＧＨｚのマイクロ波領域等の完全に他の領域へも変換可能である。しかしながら、本発明は、原則的に他の周波数領域内でも適用可能かつ変換可能である。
【００２６】
図２ａ〜図２ｃは、マイクロチップ17と、マイクロチップ17に接続されるダイポール片13a,13bを有するダイポール形状のアンテナとのみを備える無線識別タグ又は応答装置9の実施の形態の略示平面図を示す。図示の便宜上、情報担体9、特にタグ／応答装置9のフレーム又は基板の図示を省略する。
【００２７】
２つのダイポール片13a,13bを有するダイポールアンテナ13をアンテナとして図示する。しかしながら、特にダイポール放射（例えばスリットアンテナ等の形式）により形成する必要のない他形式のアンテナを使用してもよい。また、無線識別タグは、チップ又はマイクロチップ17を有する。
【００２８】
好ましい無線識別タグ又は応答装置の構造は、チップ用の所定の高周波インピーダンスZ1を備える初期インピーダンスZ1状態を有する（図２ａ）。
【００２９】
無線識別タグ又は応答装置9によるこの種の情報担体9は、例えば、リーダ1から応答が要求される信号（例えば、検索信号、読取信号又は例えば書込信号）を受信すると、マイクロチップ17は、リーダ1との通信に必要なインピーダンス状態に切り替えられ、インピーダンスモードが変更される。換言すると、マイクロチップ17は、２つの異なる通信インピーダンスZ2及びZ3間で双方向に切り替わることにより、通信インピーダンスZ2状態又は通信インピーダンスZ3状態で切り替わる信号「０」又は「１」をそれぞれ送信し、それにより、リーダ1と無線識別タグ／応答装置9との間でデジタル通信が確立される。
【００３０】
リーダ1と無線識別タグ／応答装置9との間の通信が終了したとき、即ち該当する情報がタグ／応答装置9から読み出され又はリーダ1がこの情報を受信及び／又は判断したとき、本発明では、マイクロチップ17は、他の状態、図示の実施の形態では第３のインピーダンスZ4状態に切り替えられる（図２ｃ）。第３のインピーダンスZ4状態が選択されると、リーダ1との通信が既に終了した無線識別タグ又は応答装置と、隣接する無線識別タグ又は応答装置のアンテナ領域との有害な相互作用（信号衝突）を低減することができる。例えば、無線識別タグ／応答装置9が第３のインピーダンスZ4状態にありかつ他の無線識別タグ／応答装置9がまだ初期インピーダンスZ1状態又は選択的な通信インピーダンスZ2又はZ3状態の通信状態にあるとき、第３のインピーダンスZ4状態にある無線識別タグ／応答装置9は、付属のリーダアンテナ5を介してリーダから放射される電磁場から他の無線識別タグ／応答装置9よりもずっと少ないエネルギを吸収することにより、有害な相互作用を低減することができる。
【００３１】
インピーダンス切替手段により、既に読み出された無線識別タグ／応答装置は、隣接する無線識別タグから見て、全く反作用の乏しい（むしろ「透明」又は「不在」）物体となり、その結果、隣接する別の無線識別タグ／応答装置は、リーダとより良好に通信できる。これは、幾つかの隣接するタグの通信を損なう信号干渉（エネルギ吸収への影響）が減少するからである。従って、本発明では、情報を読み出した無線識別タグ／応答装置9を待機インピーダンスZ4状態にそれぞれ切り替えることにより、他の無線識別タグ／応答装置、好ましくは隣接する無線識別タグ／応答装置は、情報を読み出した無線識別タグ／応答装置により、殆ど遮蔽作用又は負の影響を受けないので、隣接する無線識別タグ／応答装置9とリーダとの通信を確実に改善できる。
【００３２】
しかしながら、初期インピーダンスZ1状態は、必ずしも通信インピーダンスZ2及びZ3状態と異なる必要はない。換言すれば、初期インピーダンスZ1状態は、通信インピーダンスZ2又はZ3状態に相当してもよい。無線識別タグとリーダとの情報の交換後に、各マイクロチップを待機インピーダンスZ4状態に切り替えることにより、前記状態数を削減し、信号干渉を低減できる利点を実現できる。
【００３３】
また、特に、線形電力特性も、非線形電力特性も前記高周波インピーダンスに付与することができる。更に、初期インピーダンスZ1から始まる順序では、通信インピーダンスZ2,Z3状態で無線識別タグ／応答装置9とリーダ1との間で情報を交換した後、次の待機インピーダンスZ4状態に直接切り替わる必要は必ずしもない。待機インピーダンスZ4状態に切り替わる前に、初期インピーダンスZ1状態に再度切り替わった後に初めて待機インピーダンスZ4状態に切り替え又は再度初期インピーダンスZ1状態から単一又は複数の通信インピーダンスZ2,Z3状態を介して後の時点で待機インピーダンスZ4状態に切り替えてもよい。最終的に待機インピーダンスZ4状態に達するまで、必要に応じて前記切り替えを何回も行うことができる。
【００３４】
種々の前記切替方法にマイクロチップ17を構成しかつ／又はプログラム制御（プログラミング）することにより待機インピーダンスZ4状態への切り替えを実現しかつ保証できるので、マイクロチップ17の自己制御により切り替えを開始しかつ／又は少なくともマイクロチップ17により制御される。しかしながら、例えば、リーダ1及び付属のアンテナ5を介して該当する情報担体9に伝達される特定の信号等他の信号により、待機インピーダンスZ4状態に外部から切り替えることもできる。
【００３５】
図３は、例えば所定の無線識別タグ／応答装置のアンテナ15を有する多数の無線識別タグ／応答装置を互いに並行に密に配置するときに、無線識別タグ／応答装置の標準化されたアンテナ放射パターン21の形成状態を略示する。図示のように、応答装置又は無線識別タグは、比較的悪い状態でのみ、リーダからの所定の信号を受信し又はリーダに情報を送信できる放射パターンを発生する。
【００３６】
例えば、リーダに所望の情報を伝送した後に待機インピーダンスZ4状態に切り替わる本発明による所定の無線識別タグ／応答装置を使用するとき、図４に示すように、他の無線識別タグ／応答装置による改良されたアンテナ放射パターンが周囲に形成される。例えば、図３は、情報担体のアンテナ放射パターンは、特に他の全ての（残りの）無線識別タグ／応答装置が例えば初期インピーダンスZ1状態又は通信インピーダンスZ2,Z3状態にある（何れにしても、本発明による待機インピーダンスZ4状態はない）時点を示すのに対し、図４に示す標準化されたアンテナ放射パターンは、本発明に基づく実施の形態に該当する。図３とは異なり、図４は、例えば情報の読み出し後に残りの全ての無線識別タグ／応答装置9が待機インピーダンスZ4状態にある場合の無線識別タグ／応答装置の標準化されたアンテナ放射パターンの実施の形態を示す。図４から明らかなように、図３と同様に配置される応答装置／無線識別タグは、所定の方向からより強い信号を受信して、リーダと応答装置／無線識別タグとの間の無線通信の検出率を著しく改善することができる。また、図３と図４との比較から明らかなように、無線信号及び電磁波の改良された受信により、リーダは、より良好かつ確実にエネルギ場で各無線識別タグ／応答装置と通信できるだけではなく、全ての無線識別タグ／応答装置からの無線信号を読み出して検出する「情報捕集領域」も拡大される。図４に示すこの構造では、リーダアンテナからの距離の増大に伴って電場強さが減少する場合でも、リーダの信号をまだ良好に受信できるから、結果的に情報捕集領域が拡大される。
【００３７】
上記説明から明らかなように、情報を読み出した無線識別タグ／応答装置を所定時間間隔だけ、即ち一時的にのみ待機インピーダンスZ4状態に切り替えるので、無線識別タグ／応答装置が待機インピーダンスZ4状態にある期間中に、隣接する残りの無線識別タグ／応答装置のアンテナ領域との高周波インピーダンスの変化による有害な相互作用を低減できる。このように、各無線識別タグ／応答装置の受信可能性と読出し可能性は、結局他の無線識別タグ／応答装置のインピーダンスに依存するので、前記の方法で無線識別タグ／応答装置を待機インピーダンスZ4状態に切り替えることにより、他の無線識別タグに向う又はリーダに向う無線信号の到達可能性と、それによる無線信号の読み出し率又は他の無線識別タグへの書込み率とを改善できる。受信したエネルギ及び／又はまだ蓄積されるエネルギが最小値又は閾値未満に下降する応答装置／無線識別タグ、即ち一般的なデータ担体又は情報担体を再び初期インピーダンスZ1状態に復帰させれば、付属のアンテナを有するリーダから放射されるエネルギ場からより多くのエネルギの供給を再び受けることも可能である。
【００３８】
また、最初から所定の期間中のみ待機インピーダンスZ4状態に応答装置／無線識別タグを保持することもできる。その場合、待機インピーダンスZ4状態の時間の長さを例えば固定値（マイクロチップに格納される）とし又はリーダと応答装置との無線通信によりリーダから付与される時間とすることができる。
【００３９】
無線識別タグ／応答装置が十分なエネルギを有し又は存在するエネルギ場からエネルギを取り出せる限り、リーダから直接所定の無線信号を受信して、待機インピータンスZ4状態にある無線識別タグ／応答装置を初期インピーダンスZ1状態又は通信インピーダンスZ2,Z3状態に移行することもできる。
【符号の説明】
【００４０】
(1)・・リーダ（送信ユニット及び／又は受信ユニット）、  (3)・・ケーブル、  (5)・・アンテナ組立体、  (7)・・商品、  (9)・・無線識別タグ（情報担体、応答装置）、  (13a,13b)・・ダイポール片、  (17)・・マイクロチップ、
【図１】
2010534874.tif 000003
【図２ａ】
2010534874.tif 000004
【図２ｂ】
2010534874.tif 000005
【図２ｃ】
2010534874.tif 000006
【図３】
2010534874.tif 000007
【図４】
2010534874.tif 000008
【手続補正書】
【提出日】平成21年5月14日(2009.5.14)
【手続補正１】
【補正対象書類名】明細書
【補正対象項目名】０００１
【補正方法】変更
【補正の内容】
【０００１】
本発明は、特に無線識別（「ＲＦＩＤ」）タグ形式の多数のデータ担体からデータを非接触で伝送しかつ／又は多数のデータ担体にデータを非接触で伝送する請求項１又は請求項１１の前文に記載の方法及び装置に関する。
【手続補正２】
【補正対象書類名】明細書
【補正対象項目名】０００７
【補正方法】変更
【補正の内容】
【０００７】
特に、例えば直接重なり合う複数のＴシャツ等の値札に無線識別タグが取り付けられて、狭い空間に多数の無線識別タグを並置するときに問題が発生する。無線識別タグからの無線信号が相互に影響し合うことにより、多くの無線識別タグが検出し難くかつ読み取り難くなる。
無線識別タグ形式の多数のデータ担体又は情報担体からデータを非接触で伝送しかつ／又は多数のデータ担体又は情報担体にデータを非接触で伝送する概念を示す方法及び装置は、米国特許出願公開第２００７／０１１５０９８号公報により公知である。この公知のシステムは、所謂リーダにより読み取り可能な多数の無線識別タグを有する。動作の際に、まず、リーダは、第１の指令を送信し、これにより、第１の無線識別タグから情報が読み出される。その後、読み出された無線識別タグは、信号放散の低い（「識別不能」）状態に切り替わる指令信号を受信する。次に、リーダは、別の無線識別タグからの信号を読み取る。この方法では、読み取られた無線識別タグの信号強度を低下するので、「識別不能」状態に切り替えられた既読出し無線識別タグが、未読出の複数の無線識別タグからの読出信号を遮蔽する率が低下して、未読出の複数の無線識別タグに容易に読出信号を付与することができる。
各無線識別タグは、所定のアンテナ装置の他に内蔵される一体の切替回路を有し、切替回路は、無線識別タグ上に設けられるアンテナ装置に接続される。その場合、一体の切替回路は、第１のアンテナインピーダンスを有し、該当するリーダが読出信号を送出すると、切替回路は、該当するリーダに無線接続されて、該当する情報を読み出した後、第１のアンテナインピーダンスに切り替わる。リーダは、無線識別タグから読み出されたデータを受信した後、指令信号を無線識別タグに送信することにより、タグは、伝送された指令に応じて「識別不能」状態に切り替えられる。
【手続補正３】
【補正対象書類名】明細書
【補正対象項目名】０００８
【補正方法】変更
【補正の内容】
【０００８】
本発明の目的は、読取装置及び／又は書込装置の単一又は複数のアンテナの情報捕集領域内で複数の無線識別タグからの無線信号を検出し、無線識別タグを特定しかつ無線識別タグからデータを読み出し又は無線識別タグにデータを書き込むことにより、リーダ（即ち書込装置及び／又は読取装置）と各無線識別タグ又は一般的な応答装置との間の無線通信の識別率を改善できる方法及び装置を提供することにある。
【手続補正４】
【補正対象書類名】明細書
【補正対象項目名】０００９
【補正方法】変更
【補正の内容】
【０００９】
本発明の目的は、請求項１に記載する本発明による方法の特徴により解決し、請求項１１に記載する本発明による装置の特徴により解決する。本発明の好適な実施の形態を下位請求項に記載する。
【手続補正５】
【補正対象書類名】明細書
【補正対象項目名】００１１
【補正方法】変更
【補正の内容】
【００１１】
その場合、従来技術と同様に、所定の期間の間のみ無線識別タグ（又は一般的な応答装置）のインピーダンス回路変更を行うことにより、本発明は、実施される。換言すると、本発明では、インピーダンス回路変更が一時的にのみ実施される。
本発明による改良では、マイクロチップによりインピーダンスを待機インピーダンス状態に切り替え、マイクロチップ自体によりインピーダンスの切り替えを開始しかつ／又はマイクロチップによりインピーダンスを制御し切り替えるように、マイクロチップを構成し及び／又はプログラム制御（プログラミング）する。従って、従来技術とは異なり、外部から作動されて無線識別タグに伝送される信号、即ち、リーダと付属のアンテナから該当する情報担体（無線識別タグ）に伝送される信号によっては、インピーダンスの待機インピーダンス状態への切り替えを行わない。
実際に該当する無線識別タグがリーダ若しくはそのアンテナから該当する信号を受信するか又は他のタグが該当するタグを遮蔽するか否か等に無関係に、必要に応じて、他のインピーダンス状態に情報単体を常に切り替えることができるので、状態切り替え動作の高い信頼性を更に確保することができる。
また、本発明では、該当する情報を読み出しかつ／又は受信した後に待機インピーダンス状態に切り替えられたデータ担体又は情報担体は、マイクロチップに記憶された期間かつ／又は予め選択可能な期間及び／若しくは変更可能な期間の経過後に、又は読取装置及び書込装置自体の直接応答動作により、初期インピーダンス状態又は通信インピーダンス状態に復帰して切り替えられる。
また、エネルギ供給及び／又はエネルギ状態が最小値未満に低下したとき、該当するデータ担体又は情報担体を初期インピーダンス状態又は通信インピーダンス状態に復帰して切り替えることができる。
【手続補正６】
【補正対象書類名】明細書
【補正対象項目名】００１３
【補正方法】変更
【補正の内容】
【００１３】
リーダと該当する無線識別タグとの間の必要な無線通信の終了後、この無線識別タグは、他のインピーダンス回路状態に切り替えられる。この構造では、無線識別タグ又は応答装置が隣接する無線識別タグ／応答装置のアンテナ領域（アンテナ信号領域）との有害な相互作用（信号衝突）を減少するために、情報を読み出した無線識別タグ／応答装置を待機インピーダンス状態に切り替えて、リーダ（即ち読取装置及び／又は書込装置）と付属のアンテナ装置とを介して、次の無線識別タグ又は応答装置の応答特性を改善しかつ次の無線識別タグ又は応答装置に記憶される情報を読み出し又は他の情報を無線識別タグ又は応答装置に書き込むことができる。例えば、待機インピーダンス状態にある無線識別タグがリーダのアンテナ領域内でより少ないエネルギを吸収して、より少ないエネルギをアンテナ領域から引き出すこと又は待機インピーダンス状態にある無線識別タグの電流及び／又は電位分布が変化して、他の無線識別タグ又は応答装置への反作用を減少し又は最適化することにより、応答特性を改善することができる。
【手続補正７】
【補正対象書類名】明細書
【補正対象項目名】００１５
【補正方法】変更
【補正の内容】
【００１５】
前記方法では、無線識別タグ又は応答装置は、初期状態又は待機状態のとき、「０」から「１」へ及び「１」から「０」への切り替える２つの通信インピーダンス状態とは異なる所謂初期インピーダンス状態となる。勿論、初期インピーダンス状態は、通信インピーダンス状態とは強制的に異なる必要はないので、初期インピーダンス状態は、「０」又は「１」を伝送する２つの通信インピーダンス状態の一方に相当してもよい。
【手続補正８】
【補正対象書類名】明細書
【補正対象項目名】００１６
【補正方法】変更
【補正の内容】
【００１６】
従って、リーダとの必要な無線通信後に、応答装置又は無線識別タグ自体の動作又は制御により所望の切り替えを自動的に行うように、対応する無線識別タグ又は対応する広義の応答装置が構成される。
【手続補正９】
【補正対象書類名】明細書
【補正対象項目名】００１７
【補正方法】変更
【補正の内容】
【００１７】
少なくとも２つの通信インピーダンス状態の終了後直ちに、待機インピーダンス状態（状態「０」と「１」との間の切り替え）に切り替える必要はなく、少し遅延して、即ち後の時点で切り替えてもよい。例えば、−利用できる限り−初期インピーダンス状態から開始して通信インピーダンス状態に切り替えることができ、通信インピーダンス状態では、２つの通信インピーダンス状態間で双方向に切り替えられ、その後に初期インピーダンス状態に切り替えられ又は２つの通信インピーダンス状態の一方に改めて切り替えられた後に、最終的に待機インピーダンス状態に切り替えることもできる。また、例えば、初期インピーダンス状態と通信インピーダンス状態とで何度か切り替わり（例えば、情報交換を反復する場合）又は最終的に待機インピーダンス状態に切り替えられるまでに、任意の時間長さでかつ／又は頻度で他の中間インピーダンス状態に保持することもできる。
【手続補正１０】
【補正対象書類名】明細書
【補正対象項目名】００３４
【補正方法】変更
【補正の内容】
【００３４】
電気的構成かつ／又はプログラム制御（プログラミング）によりマイクロチップ17を待機インピーダンス状態への切り替えを実現しかつ保証できるので、マイクロチップ17の自己制御により切り替えを開始しかつ／又は少なくともマイクロチップ17により制御できる。従って、従来技術とは異なり、リーダ1と付属のアンテナ5を介して、対応する情報担体9に伝送される該当する信号等の外部から所定の信号により、待機インピーダンスZ4状態への切り替えは、作動されない。
【手続補正１１】
【補正対象書類名】明細書
【補正対象項目名】００３８
【補正方法】変更
【補正の内容】
【００３８】
また、最初から所定の期間中のみ待機インピーダンスZ4状態に応答装置／無線識別タグを保持することもできる。その場合、待機インピーダンスZ4状態の時間の長さを例えば固定値（マイクロチップに格納される）とし又はリーダと応答装置との無線通信によりリーダから付与される時間とすることができる。換言すると、該当する情報が読み出されかつ／又は受信された後に待機インピーダンスZ4状態に切り替えられたデータ担体又は情報担体9、即ち無線識別タグは、マイクロチップ17に記憶された期間かつ／又は予め選択可能な期間及び／又は変更可能な期間の経過後に、初期インピーダンス状態Z1に再び復帰して切り替わることができる。
【手続補正１２】
【補正対象書類名】特許請求の範囲
【補正対象項目名】全文
【補正方法】変更
【補正の内容】
【特許請求の範囲】
【請求項１】
無線識別タグ又は応答装置の形態に形成される多数のデータ担体又は情報担体(9)からデータを非接触で伝送し及び／又は多数のデータ担体又は情報担体(9)にデータを非接触で伝送する方法において、
読取装置及び／若しくは書込装置(1)に設けられ又は読取装置及び／若しくは書込装置(1)に接続されるアンテナ組立体(5)を介して、単一又は複数のデータ担体又は情報担体(9)に単一又は複数の検索信号及び／又は書込信号を送信する過程と、
データ担体又は情報担体(9)上に設けられるアンテナ(15)を介して、データ担体若しくは情報担体(9)から該当する情報信号を送信しかつ／又は受信することにより、個々のデータ担体若しくは情報担体(9)から情報を読み出しかつ／又はデータ担体若しくは情報担体(9)に情報を書き込む過程と、
初期インピーダンス(Z1)状態と、データ担体若しくは情報担体(9)から情報信号を送信する又はデータ担体若しくは情報担体(9)が情報信号を受信する間の通信インピーダンス(Z2,Z3)状態と、読取装置及び／又は書込装置(1)とデータ担体若しくは情報担体(9)との間で情報を交換した後、通信インピーダンス(Z2,Z3)状態とは異なる待機インピーダンス(Z4)状態とにデータ担体又は情報担体を切り替える過程と、
読取装置及び／又は書込装置(1)との無線通信後に、データ担体及び／又は情報担体(9)自体により、待機インピーダンス(Z4)状態への切り替えを開始し及び／又は制御する過程と、
マイクロチップ(17)に記憶された期間かつ／又は予め選択可能な期間及び／若しくは変更可能な期間の経過後か、読取装置及び／又は書込装置(1)からの起動信号によるか、該当するデータ担体若しくは情報担体(9)のエネルギ供給及び／又はエネルギ状態が最小値未満に低下したときかに、該当する情報を読み出しかつ／又は受信した後に待機インピーダンス(Z4)状態に切り替えたデータ担体又は情報担体(9)を初期インピーダンス(Z1)状態又は２つの通信インピーダンス(Z2,Z3)状態の少なくとも一方に復帰して切り替える過程とを含み、
待機インピーダンス(Z4)状態にデータ担体又は情報担体(9)を切り替えることにより、隣接するデータ担体又は情報担体(9)のアンテナ領域との有害な相互作用を減少することを特徴とするデータを非接触で伝送する方法。
【請求項２】
少なくとも２つの通信インピーダンス(Z2,Z3)状態間でデータ担体及び／又は情報担体(9)を切り替えて、データ担体及び／又は情報担体(9)からデジタル化された信号を送信する過程を含み、
待機インピーダンス(Z4)状態にあるデータ担体又は情報担体(9)は、初期インピーダンス(Z1)状態にあるとき及び／又は通信インピーダンス(Z2,Z3)状態にあるときより少ないエネルギをリーダアンテナ(5)から吸収する請求項１に記載の方法。
【請求項３】
待機インピーダンス(Z4)状態にあるデータ担体又は情報担体(9)のアンテナ(15)は、初期インピーダンス(Z1)状態及び／又は通信インピーダンス(Z2,Z3)状態よりも、隣接するデータ担体又は情報担体(9)のアンテナ領域との相互作用の少ない電流及び／又は電位分布を有する請求項１又は２に記載の方法。
【請求項４】
データ担体又は情報担体(9)は、通信段階の間の通信インピーダンス(Z2,Z3)状態とは異なる初期インピーダンス(Z1)状態を有する請求項１〜３の何れか１項に記載の方法。
【請求項５】
データ担体又は情報担体(9)は、通信段階間のデータ担体又は情報担体(9)の２つの通信インピーダンス(Z2,Z3)状態の何れかに相当する初期インピーダンス(Z1)状態を有する請求項１〜４の何れか１項に記載の方法。
【請求項６】
該当する情報を読み出し又は受信した後に、データ担体又は情報担体(9)を待機インピーダンス(Z4)状態に切り替える過程を含み、
待機インピーダンス(Z4)状態にあるデータ担体又は情報担体(9)は、２つの通信インピーダンス(Z2,Z3)状態で信号を送信する他のデータ担体又は情報担体(9)又は初期インピーダンス(Z1)状態にあるデータ担体又は情報担体(9)よりも少ないエネルギを吸収する請求項１〜５の何れか１項に記載の方法。
【請求項７】
該当する情報を読み出し又は受信した後に、データ担体又は情報担体(9)を待機インピーダンス(Z4)状態に切り替える過程を含み、
待機インピーダンス(Z4)状態にあるデータ担体又は情報担体(9)のアンテナは、２つの通信インピーダンス(Z2,Z3)状態の何れか又は初期インピーダンス(Z1)状態にあるデータ担体又は情報担体(9)と比較して、隣接するデータ担体及び／又は情報担体(9)のアンテナ領域との相互作用の少ない電流及び／又は電位分布を有する請求項１〜６の何れか１項に記載の方法。
【請求項８】
情報信号を読み出し又は受信した後、待機インピーダンス(Z4)状態に切り替えられる前に、初期インピーダンス(Z1)状態又は２つの通信インピーダンス(Z2,Z3)状態の少なくとも一方に、データ担体又は情報担体(9)を単一回又は複数回更に切り替える過程を含む請求項１〜７の何れか１項に記載の方法。
【請求項９】
データ担体又は情報担体(9)上に設けられるマイクロチップの作動により、データ担体又は情報担体(9)を待機インピーダンス(Z4)状態に切り替える過程を含む請求項１〜８の何れか１項に記載の方法。
【請求項１０】
読取装置及び／又は書込装置(1)からの制御信号がなくても、データ担体若しくは情報担体(9)を待機インピーダンス状態(Z4)に切り替える過程を含む請求項１〜９の何れか１項に記載の方法。
【請求項１１】
無線識別タグ又は応答装置の形態により形成される多数のデータ担体及び／又は情報担体(9)からデータを非接触で伝送する装置において、
単一又は複数のアンテナ(5)を有し又は単一又は複数のアンテナ(5)を接続でき、アンテナを介して検索信号及び／又は書込信号を単一又は複数のデータ担体又は情報担体(9)に送信できる読取装置及び／又は書込装置(1)と、
検索信号を受信したとき、記憶若しくは格納する情報を読み出して情報信号を送信し又は書込信号を受信したとき、情報を記憶又は格納する多数のデータ担体又は情報担体(9)とを備え、
データ担体又は情報担体(9)は、異なるインピーダンス(Z1,Z2,Z3,Z4)状態に切り替え可能なマイクロチップ(17)を有し、
情報信号を送信した後及び／又は受信した後、マイクロチップは、通信インピーダンス(Z2,Z3)状態から待機インピーダンス(Z4)状態に切り替わり、
待機インピーダンス状態は、初期インピーダンス(Z1)状態及び／又はデータ担体又は情報担体(9)から情報信号を送信する間の通信インピーダンス(Z2,Z3)状態とは異なり、
読取装置及び／又は書込装置(1)との無線通信後に、データ担体又は情報担体(9)の自己制御により、待機インピーダンス(Z4)状態への切り替えを開始し及び／又は制御するようにデータ担体又は情報担体(9)を構成し、
該当する情報を読み出しかつ／又は受信した後に、データ担体又は情報担体(9)が待機インピーダンス(Z4)状態に切り替えられたとき、マイクロチップ(17)内に記憶された期間かつ／又は予め選択可能な期間及び／又は変更可能な期間の経過後か、読取装置及び／又は書込装置(1)からの起動信号によるか、該当するデータ担体若しくは情報担体(9)のエネルギ供給及び／又はエネルギ状態が最小値未満に低下したときに、初期インピーダンス状態(Z1)又は２つの通信インピーダンス状態(Z2,Z3)の少なくとも一方に、データ担体又は情報担体(9)を再び復帰して切り替えることを特徴とするデータを非接触で伝送する装置。
【請求項１２】
データ担体又は情報担体(9)は、初期インピーダンス(Z1)状態と、双方向に切り替えられてデジタル化された信号を送信する少なくとも２つの通信インピーダンス(Z2,Z3)状態と、待機インピーダンス(Z4)状態とに切り替えられ、
待機インピーダンス(Z4)状態にあるマイクロチップ(17)は、アンテナ、特にリーダアンテナ(5)から発生する電場、磁場又は電磁場から、初期インピーダンス(Z1)状態及び／又は通信インピーダンス(Z2,Z3)状態よりも少ないエネルギを吸収する請求項１１に記載の装置。
【請求項１３】
マイクロチップ(17)が待機インピーダンス(Z4)状態にあるとき、データ担体又は情報担体(9)のアンテナ(15)は、初期インピーダンス(Z1)状態及び／又は通信インピーダンス(Z2,Z3)状態よりも、隣接するデータ担体又は情報担体(9)のアンテナ領域との相互作用の小さい電流及び／又は電位分布を有する請求項１１又は１２に記載の装置。
【請求項１４】
マイクロチップ(17)は、通信段階の間の通信インピーダンス(Z2,Z3)状態とは異なる初期インピーダンス(Z1)状態を有する請求項１１〜１３の何れか１項に記載の装置。
【請求項１５】
データ担体又は情報担体(9)は、通信段階間のデータ担体又は情報担体(9)の２つの通信インピーダンス(Z2,Z3)状態の何れかに相当する初期インピーダンス(Z1)状態を有する請求項１１〜１４の何れか１項に記載の装置。
【請求項１６】
他のデータ担体又は情報担体(9)から送信される無線信号に対して、２つの通信インピーダンス(Z2,Z3)状態の何れか又は初期インピーダンス(Z1)状態にあるデータ担体又は情報担体(9)よりも少ないエネルギを吸収する待機インピーダンス(Z4)状態に、該当する情報を読み出しかつ／又は受信したデータ担体又は情報担体(9)を切り替え可能であり又は切り替える請求項１１〜１５の何れか１項に記載の装置。
【請求項１７】
データ担体又は情報担体(9)から情報を読み出した後及び／又はデータ担体又は情報担体(9)に情報を書き込んだ後に、待機インピーダンス(Z4)状態に切り替えられる前に、初期インピーダンス(Z1)状態及び／又は２つの通信インピーダンス(Z2,Z3)状態の少なくとも一方に、データ担体又は情報担体(9)を単一回又は複数回更に切り替える請求項１１〜１６の何れか１項に記載の装置。
【請求項１８】
データ担体又は情報担体(9)に設けられたマイクロチップの作動により、データ担体又は情報担体(9)を待機インピーダンス(Z4)状態に切り替える請求項１１〜１７の何れか１項に記載の装置。
【請求項１９】
読取装置及び／又は書込装置(1)からの制御信号がなくても、データ担体又は情報担体(9)の自己制御により、待機インピーダンス(Z4)状態に自動的に切り替えるようにデータ担体及び／又は情報担体(9)を構成した請求項１１〜１８の何れか１項に記載の装置。
【国際調査報告】
2010534874.tif 000009
2010534874.tif 000010
2010534874.tif 000011
2010534874.tif 000012